(57)【要約】  P2P通信の干渉を制限する方法で通信ネットワークシステムにより実行されるステップは、通信ネットワークの特性に従ってP2P通信パラメータを設定し、P2P通信パラメータは、他のUEとのP2P通信を実行する間に、他のUEに対してP2P通信のUEにより引き起こされる干渉を制限し、通信ネットワークでP2P通信パラメータをUEに送信することを有する。UEにより実行されるステップは、P2P通信パラメータを受信し、適切な送信電力を得るために、P2P通信パラメータを使用して他のUEとP2P探索手順を実行し、P2P通信パラメータに従ってこの適切な送信電力を使用して他のUEとP2P通信を実行することを有する。
2008510344.tif 000002
【特許請求の範囲】
【請求項１】
通信ネットワークシステムで実行されるP2P通信の干渉を制限する方法であって：
(a)前記通信ネットワークの特性に従ってP2P通信パラメータを設定し、前記P2P通信パラメータは、他のUEとP2P通信を実行する間に、UEにより引き起こされる干渉を制限し；
(b)前記UEが前記P2P通信パラメータに従って他のUEとP2P通信を実行することが可能になるように、前記通信ネットワークで前記P2P通信パラメータを前記UEに送信することを有する方法。
【請求項２】
前記通信ネットワークの特性は、前記通信ネットワークのリソース管理方式と前記ネットワークのサービスエリアとのうち１つを少なくとも有する、請求項１に記載のP2P通信の干渉を制限する方法。
【請求項３】
前記ステップ(a)は：
前記通信ネットワークの動作状態を検出し；
前記通信ネットワークの動作状態に従って前記P2P通信パラメータを設定することを更に有する、請求項１又は２に記載のP2P通信の干渉を制限する方法。
【請求項４】
前記P2P通信パラメータは、前記通信ネットワークのサービスエリアでの最大オフラインP2P探索電力と最大オフラインP2P通信電力とを少なくとも有する、請求項３に記載のP2P通信の干渉を制限する方法。
【請求項５】
前記P2P通信パラメータは、前記ステップ(b)で、BCCH（Broadcast  Control  Channel）を介して前記UEに送信される、請求項４に記載のP2P通信の干渉を制限する方法。
【請求項６】
前記通信ネットワークのリソース管理方式が変化したか否かを検出し；
変化が生じた場合に、対応のP2P通信パラメータをリセットすることを更に有する、請求項２に記載のP2P通信の干渉を制限する方法。
【請求項７】
前記通信ネットワークの動作状態が変化したか否かを検出し；
変化が生じた場合に、対応のP2P通信パラメータをリセットすることを更に有する、請求項３に記載のP2P通信の干渉を制限する方法。
【請求項８】
UEで実行されるP2P通信の干渉を制限する方法であって：
(a)通信ネットワークシステムから送信されたP2P通信パラメータを受信し、前記P2P通信パラメータは、他のUEとP2P通信を実行している間に、前記UEにより引き起こされる干渉を制限し；
(b)適切な送信電力を決定するために、前記P2P通信パラメータを使用して他のUEとP2P探索手順を実行し；
(c)前記P2P通信パラメータに従って前記適切な送信電力を使用して他のUEとP2P通信を実行することを有する方法。
【請求項９】
前記ステップ(b)は：
前記UEの位置と採用されるP2P通信モードとに従って、前記受信したP2P通信パラメータから対応のP2P通信パラメータを選択し；
前記選択されたP2P通信パラメータを使用して、他のUEとP2P探索手順を実行することを有する、請求項８に記載のP2P通信の干渉を制限する方法。
【請求項１０】
前記P2P通信パラメータは、前記通信ネットワークのサービスエリアでの最大オフラインP2P探索電力と最大オフラインP2P通信電力とを少なくとも有する、請求項９に記載のP2P通信の干渉を制限する、請求項９に記載のP2P通信の干渉を制限する方法。
【請求項１１】
前記ステップ(b)は：
前記最大オフラインP2P探索電力を使用してオフラインP2P探索手順を実行し；
他のUEとネゴシエーションし、前記オフラインP2P探索手順の送信電力を調整し；
ネゴシエーションを通じて調整された送信電力が前記最大オフラインP2P探索電力より大きいか否かを決定し；
ネゴシエーションを通じて調整された送信電力が前記最大オフラインP2P探索電力より大きくない場合に、ネゴシエーションを通じて調整された送信電力を使用して他のUEとオフラインP2P通信を実行することを有する、請求項１０に記載のP2P通信の干渉を制限する方法。
【請求項１２】
ネゴシエーションを通じて調整された送信電力が前記最大オフラインP2P探索電力より大きい場合に、オンラインP2P通信探索手順又は従来の通信モードに切り替えることを更に有する、請求項１１に記載のP2P通信の干渉を制限する方法。
【請求項１３】
オフラインP2P通信手順の間にP2P信号を送信する送信電力を調整し；
調整された送信電力が前記最大オフラインP2P通信電力より大きいか否かを決定し；
調整された送信電力が前記最大オフラインP2P通信電力より大きくない場合に、調整された送信電力を使用して他のUEとオフラインP2P通信を実行することを更に有する、請求項１１に記載のP2P通信の干渉を制限する方法。
【請求項１４】
調整された送信電力が前記最大オフラインP2P通信電力より大きい場合に、オンラインP2P通信探索手順及び従来の通信モードのうち１つに切り替えることを更に有する、請求項１３に記載のP2P通信の干渉を制限する方法。
【請求項１５】
前記受信したP2P通信パラメータが現在使用されているP2P通信パラメータと同じであるか否かを決定し；
前記受信したP2P通信パラメータが変化している場合に、対応のP2P通信パラメータを更新することを更に有する、請求項８に記載のP2P通信の干渉を制限する方法。
【請求項１６】
通信ネットワークの特性に従ってP2P通信パラメータを設定し、前記P2P通信パラメータは、他のUEとP2P通信を実行する間に、UEにより引き起こされる干渉を制限する設定ユニットと；
前記UEが前記P2P通信パラメータに従って他のUEとP2P通信を実行することが可能になるように、前記通信ネットワークで前記P2P通信パラメータを前記UEに送信する送信ユニットと；
を有する通信ネットワークシステム。
【請求項１７】
前記通信ネットワークの特性は、前記通信ネットワークのリソース管理方式と前記ネットワークのサービスエリアとのうち１つを少なくとも有する請求項１６に記載の通信ネットワークシステム。
【請求項１８】
前記通信ネットワークの動作状態を検出する検出ユニットを更に有し；
前記設定ユニットは、前記通信ネットワークの動作状態に従って前記P2P通信パラメータを設定する請求項１６又は１７に記載の通信ネットワークシステム。
【請求項１９】
通信ネットワークシステムから送信されたP2P通信パラメータを受信し、前記P2P通信パラメータは、他のUEとP2P通信を実行する間に、UEにより引き起こされる干渉を制限する受信ユニットと；
適切な送信電力を決定するために、前記P2P通信パラメータを使用して他のUEとP2P探索手順を実行する探索ユニットと；
適切な送信電力が前記P2P通信パラメータの条件に値するか否かを決定する決定ユニットと；
前記P2P通信パラメータの制限条件に値する適切な送信電力を使用して、他のUEとP2P通信を実行するP2P通信ユニットと；
を有するUE。
【請求項２０】
P2P探索及びP2P通信で前記UEの送信電力を調整する調整ユニットを更に有する請求項１９に記載のUE。
【請求項２１】
前記UEの位置と採用されるP2P通信モードとに従って、前記受信したP2P通信パラメータから対応のP2P通信パラメータを選択する選択ユニットを更に有する請求項２０に記載のUE。
【請求項２２】
前記選択されたP2P通信パラメータは、前記通信ネットワークのサービスエリアでの最大オフラインP2P探索電力と最大オフラインP2P通信電力とを少なくとも有する請求項２１に記載のUE。
【請求項２３】
前記探索ユニットは、初期送信電力として前記最大オフラインP2P探索電力を設定し、オフラインP2P探索を実行し；
前記調整ユニットは、他のUEとネゴシエーションし、オフラインP2P通信手順の間に送信電力を調整し；
前記決定ユニットは、ネゴシエーションを通じて調整された送信電力が前記最大オフラインP2P探索電力より大きいか否かを決定し；
前記P2P通信ユニットは、探索が成功したことを前記調整ユニットが決定した場合に、ネゴシエーションを通じて調整された送信電力を使用して他のUEとオフラインP2P通信を実行する請求項２２に記載のUE。
【請求項２４】
前記調整ユニットは、オフラインP2P通信手順の間にP2P信号を送信する送信電力を調整し；
前記決定ユニットは、調整された送信電力が前記最大オフラインP2P通信電力より大きいか否かを決定し；
前記P2P通信ユニットは、調整された送信電力が前記最大オフラインP2P通信電力より大きくないことを前記決定ユニットが決定した場合に、調整された送信電力を使用して他のUEとオフラインP2P通信を実行する請求項２３に記載のUE。
【発明の詳細な説明】
【技術分野】
【０００１】
本発明は、概してP2P通信に関し、特にP2P通信の干渉を制限する方法及び装置に関する。
【背景技術】
【０００２】
従来のセルラ移動通信システムでは、基地局の中継を通じてのみ、UE（user  equipment）は他のUEと通信することができる。図１は、TD-SCDMAシステムで使用されるこの従来の通信モードを示している。TD-SCDMAシステムで、UE1及びUE2は、基地局トランシーバ（Node  B）とRNC（radio  network  controller）とを有するUTRANを通じて情報を交換する。この従来の通信モードはまた、UP-BS-DOWNモードとも呼ばれている。しかし、セルにキャンピングしている２人のユーザが相互に非常に近くなる場合に、２人のユーザが直接に通信することが合理的な場合がある。これは、いわゆるピア・ツー・ピア通信と呼ばれ、P2Pと略される。一般的に、P2P通信は、アップリンクとダウンリンクとの双方で同じ搬送周波数が採用されるTDD無線システムに適用される。以下では、２つのP2P通信モードを説明するために、TD-SCDMAシステムが例として挙げられる。
【０００３】
図２は、P2P通信モードを示している。図２に示すように、UE1とUE2との間でトラヒックデータを伝達するために、実線で示すP2P直接リンクが確立され得るが、UTRANは、UTRANとUEとの間に点線で示す制御リンクを通じて、直接リンクを監視する。基地局により監視されるこのP2P通信モードは、オンラインP2P通信モードと呼ばれる。基地局の中継がないため、オンラインP2P通信は50%までの無線リソースを節約することができ、その間にUTRANは依然としてP2P通信の制御を保持する。オンラインP2P通信を実現する方法に関する説明は、2003年3月7日にKONINKLIJKE  PHILIPS  ELECTRONICS  N.V.により出願された特許出願第03119892.9及び03119894.5に開示されている。これらの文献が参照として取り込まれる。
【０００４】
前記のオンラインP2P通信モードに基づいて、基地局のサポートなしにUEが自己組織的にP2P通信を実行する新しい通信モードが更に構築され得る。これはオフラインP2P通信モードと呼ばれる。図３はオフラインP2P通信モードを示している。図示するように、オフラインP2P通信を始める前に、まず、UE1及びUE2は、従来の通信モードでUTRANのオフラインP2P通信サービスに登録し、これらのピアのP2P通信識別情報を取得する。UEがP2P通信識別情報を取得する方法についての詳細な手順は、代理人管理番号No.CN040033でこの出願と共にKONINKLIJKE  PHILIPS  ELECTRONICS  N.V.により出願された特許出願に詳細に記載されている。この文献が参照として取り込まれる。次に、２つのUEは、UTRANの監視及び制御なしに、登録手順の間に取得されたこれらのピアのP2P通信識別情報に従って独立してP2P通信を確立する。最後に、P2P通信が終了した後に、UE1及びUE2は従来の通信でアイドルモードに戻る。
【０００５】
オンラインP2P通信と比べて、オフラインP2P通信ではシグナリングコストが節約可能であり、UEが海洋や山や戦場等のような無線ネットワークのサービスエリアの外側にいるときでも、P2P通信リンクが確立可能である。更に、このオフラインP2P通信モードは、２つのUEがセルで相互に非常に近い場合にも適用可能である。このときに、UTRANとUEとの間に制御リンクが存在しないため、UE1及びUE2の送信電力がネットワークシステムにより無視されるほど小さく減少する場合に、ユーザは従来の通信よりかなり安価にオフラインP2P通信サービスを使用することができる。
【発明の開示】
【発明が解決しようとする課題】
【０００６】
前述のように、従来の通信モードではUEはUTRANの中継を通じて通信するため、UTRANは、制御シグナリングを通じて合理的な範囲内にUEの送信電力を直接に制限することができる。しかし、P2P通信モードでは、P2P通信の直接リンクが従来の通信のアップリンク及びダウンリンクと同じ搬送周波数を共有し、場合によってはCDMA多重を通じて同じタイムスロットを共有するため、P2P通信が他のUEの通常の通信と干渉し得る可能性が高い。
【０００７】
UEがオンラインP2P通信モードである場合、UTRANは制御リンクを介してUEの送信電力を制御することができるが、電力制御用のシグナリング期間は概してシグナリングコストを節約するために長くなり、従って、UTRANは適切な時間にUEの送信電力を調整してP2P通信により引き起こされる干渉を低減することができない。
【０００８】
セルの２つのUEがオフラインP2P通信モードを採用している場合、オフラインP2P通信モードの２つのUEとUTRANとの間に制御リンクが存在しないため、UEはUTRANにより完全に制御不能になる。この場合、UEの送信電力に制限がされない場合、オフラインP2P通信モードは、セル内の従来の通信モードのUEに対して深刻な干渉をもたらす。
【０００９】
更に、UEが通信ネットワークのサービスエリアの外側でオフラインP2P通信を確立する場合には、従来の通信モードのUEに対してオフラインP2P通信モードのUEにより引き起こされる干渉は、もはや重要な問題ではなくなるが、UEの送信電力に制限がされない場合に、高すぎる送信電力は不要な消費電力を生じ、同様にサービスエリア内の他の継続中のオフラインP2P通信と干渉する可能性が高くなる。
【００１０】
従って、P2P通信の干渉を制限する新しい方法を提案する必要がある。
【００１１】
本発明の目的は、P2P通信の干渉を制限する方法を提供することであり、この方法で、P2P通信により引き起こされる干渉が合理的な範囲内に制限され、他の通信中のUEが影響を受けないことが確保され得る。
【課題を解決するための手段】
【００１２】
本発明に従って通信ネットワークシステムで実行されるP2P通信の干渉を制限する方法が提供され、通信ネットワークの特性に従ってP2P通信パラメータを設定し、P2P通信パラメータは、他のUEに対してP2P通信のUEにより引き起こされる干渉を制限し、UEがP2P通信パラメータを使用して他のUEとP2P通信を実行することが可能になるように、通信ネットワークでP2P通信パラメータをUEに送信することを有する。
【００１３】
本発明に従ってUEで実行されるP2P通信の干渉を制限する方法が提供され、通信ネットワークシステムにより送信されたP2P通信パラメータを受信し、P2P通信パラメータは、他のUEに対してP2P通信のUEにより引き起こされる干渉を制限し、適切な送信電力を得るために、P2P通信パラメータを使用して他のUEとP2P探索手順を実行し、P2P通信パラメータに従ってこの適切な送信電力を使用して他のUEとP2P通信を実行することを有する。
【００１４】
本発明に従って通信ネットワークシステムが提供され、通信ネットワークの特性に従ってP2P通信パラメータを設定し、P2P通信パラメータは、他のUEに対してP2P通信のUEにより引き起こされる干渉を制限する設定ユニットと、UEがP2P通信パラメータを使用して他のUEとP2P通信を実行することが可能になるように、通信ネットワークでP2P通信パラメータをUEに送信する送信ユニットとを有する。
【００１５】
本発明に従ってUEが提供され、通信ネットワークシステムにより送信されたP2P通信パラメータを受信し、P2P通信パラメータは、他のUEに対してP2P通信のUEにより引き起こされる干渉を制限する受信ユニットと、適切な送信電力を得るために、P2P通信パラメータを使用して他のUEとP2P探索手順を実行する探索ユニットと、P2P探索及びP2P通信の間にUEの送信電力を調整する調整ユニットと、ネゴシエーションを通じて調整された送信電力がP2P通信パラメータの制限条件に値するか否かを決定する決定ユニットと、P2P通信パラメータの制限条件に値する送信電力を使用して、他のUEとP2P通信を実行するP2P通信ユニットとを有する。
【発明を実施するための最良の形態】
【００１６】
本発明の完全な理解と共に、他の目的及び到達は、添付図面を考慮して以下の説明及び請求項を参照することで明らかになり、理解される。
【００１７】
特定の実施例及び添付図面と共に、本発明への完全な説明が以下に示される。
【００１８】
図面を通じて、同様の参照符号は同様の部分及び構成要素を示すことが分かる。
【００１９】
本発明で提案されるP2P通信の干渉を制限する方法によれば、通信ネットワークシステムは、通信ネットワークの特性及び現動作状態に基づいてP2P通信パラメータのグループを設定し、BCCH（Broadcast  Control  Channel）を介してP2P通信パラメータをセル内の各UEにブロードキャストすることができる。P2P通信パラメータの受信時に、UEは、その位置に従って、P2P探索電力やP2P通信電力のような対応のP2P通信パラメータを選択し、P2Pリンク探索手順及びP2P通信手順の間に送信電力を制御し、P2P通信により引き起こされる干渉を効率的に減少させることができる。
【００２０】
以下では、添付図面と共に本発明で提案されるP2P通信の干渉を低減する方法を説明するために、TD-SCDMAシステムが一例として挙げられる。
【００２１】
図４は、本発明の実施例に従ってP2P通信の干渉を制限するためにUTRANにより実行されるステップを示している。
【００２２】
図４に示すように、まず、UTRANはP2P通信パラメータのグループを設定する（ステップS110）。P2P通信パラメータの設定は、主にP2P通信パラメータの内容と各P2P通信パラメータの値とを含む。
【００２３】
1.P2P通信パラメータの内容について
P2P通信パラメータの内容は、通信ネットワーク内のUEの位置と、場合によって採用されているP2P通信モードとに従って設定され得る。
【００２４】
例えば、UEが通信ネットワークによりカバーされるセルにいるときに、オフライン及びオンライン通信モードの双方が使用され得る。オフライン通信モードのUEとUTRANとの間に制御リンクが存在せず、UTRANは制御シグナリングを通じてUEの送信電力を制御することができないため、UEの送信電力を、最大オンラインP2P通信電力及び最大オフラインP2P通信電力の２つのP2P通信パラメータに設定することが好ましい。オフラインP2P通信モードが使用される場合、UEはそれに従って厳密なP2P通信パラメータを選択して、UEにより送信されるP2P信号がセル内の他の通信中のUEに対して干渉を生じることを回避するべきである。一般的に言えば、許容可能な最大オフラインP2P通信電力の値は、最大オンラインP2P通信電力の値より小さい。
【００２５】
他の例として、UEが通信ネットワークのサービスエリアの外側にある場合、セル内の他の通信中のUEに対してUEと他のUEとの間のオフラインP2P通信によって引き起こされる干渉はこの時点ではもはや主要な問題にはならないため、UEにより使用される最大オフライン通信電力の値は、セル内のUEにより使用される値より高くなり得る。従って、前記の最大オフラインP2P通信電力は、通信ネットワークのサービスエリア内での最大オフラインP2P通信電力と、通信ネットワークのサービスエリアの外側での最大オフラインP2P通信電力とに更に分類され得る。これにより、通信ネットワークのサービスエリアの外側にいる場合にP2P通信の無線範囲を広げるために、UEは比較的広いP2P通信パラメータから選択することが可能になる。
【００２６】
P2Pリンク探索（P2P  link  probing）に使用される送信電力に関して、これは、前記の方法を参照して、通信ネットワークのUEの位置と、場合によって使用されるP2P通信モードとに従って設定され得る。
【００２７】
更に、P2P通信パラメータは、UEがP2P通信サービスを使用することを許容されているか否かを示す識別情報と、オフラインP2P通信で使用される共通無線リソース（オフラインP2P通信周波数及び初期設定のオフラインP2P通信識別情報等）とを更に有してもよい。
【００２８】
2.P2P通信パラメータの値について
P2P通信パラメータの値は、通信ネットワークの特性及び現動作状態に従って設定され得る（ステップS110）。
【００２９】
通信ネットワークの特性は、サービスエリア内のセルを構成する通信ネットワークにより示されるネットワーク特性（すなわち、セルのエリア）に限定されず、通信ネットワークにより運ばれるトラヒック負荷により示されるネットワーク特性にも関係する。通信ネットワークのオペレータは、通信ネットワークの特性に従ってリソース管理方式を生成して調整することができる。
【００３０】
例えば、通信ネットワークの特性は異なるサービスエリア（又は異なる半径）を有するセルに応じて変化する。このことは、P2P通信モードのUEが通信ネットワークの他の通信中のUEに対して異なるP2P通信の干渉を生成するという事実により、完全に示される。従って、異なるサービスエリアを有するセルでは、P2P通信パラメータは対応する値に設定され得る。
【００３１】
他の例として、商業地方の中心に構成されたセルでは、通信ネットワークの特性は、人口が少ない郊外に構成されたセルに比べて大きく変化する。商業地方の中心のセルでは、一般的に多くの呼トラヒックが存在するため、ネットワークオペレータは、従来の通信のユーザがP2P通信から干渉を受けることを回避することができるように、リソース管理方式でセル内のP2P通信を無効にし、それに従ってP2P通信パラメータの値を設定してもよく、わずかのユーザがP2P通信を使用可能であり、P2P送信電力のような対応のP2P通信パラメータの値を低く設定し、従来の通信のユーザに対するP2P通信の干渉をできるだけ軽減することができるように、リソース管理方式で比較的厳密なP2P通信パラメータを設定してもよい。人口が少ない郊外に構成されたセルでは、対応のP2P通信パラメータの設定は広く設定されてもよく、又は複数のグループのP2P通信パラメータが、通信範囲や通信環境等のような要因に従って設定され、P2P通信の無線範囲を広げてもよい。
【００３２】
更に、UTRANは、検出された通信ネットワークの現動作状態（例えば通信ネットワークが現在ビジーであるかアイドルであるか）と異なるトラヒックの期間とに従ってP2P通信パラメータの値を設定し、P2P通信の無線範囲を広げ、他の通信中のUEへのP2P通信の影響を減少させてもよい。
【００３３】
通信ネットワークの特性及び動作状態に従ってP2P通信パラメータを設定した後に、UTRANは、BCCHを介してセル内の各UEにP2P通信パラメータを定期的にブロードキャストする（ステップS120）。
【００３４】
対応のP2P通信パラメータを適切に変更するように、リソース管理方式の変化及び通信ネットワークの動作状態に適応するために、UTRANは、P2P通信パラメータを送信した後に、通信ネットワークのリソース管理方式及び動作状態が変化したか否かを定期的に又はリアルタイムで検出する（ステップS130）。検出結果に従って、UTRANは、P2P通信パラメータをリセットするか否かを決定する（ステップS140）。リソース管理方式及び動作状態が変化したことを検出すると、対応のP2P通信パラメータがリセットされる（ステップS150）。
【００３５】
図５は、本発明の実施例のステップを示しており、通信ネットワークのサービスエリア内でオフラインP2P通信モードを採用するUEは、BCCHを介してUTRANから送信されたP2P通信パラメータを読み取った後に、その位置に従ってP2P通信パラメータを選択し、選択されたP2P通信パラメータに基づいてオフラインP2P通信を確立して維持する。
【００３６】
UEがUTRANでオフラインP2P通信サービスに登録しており、そのピアのP2P通信識別情報を取得していることを仮定する。オフラインP2P通信サービスに登録してP2P通信識別情報を取得する方法の詳細な説明は、代理人管理番号CN040033及びCN040032でこの出願と共にKONINKLIJKE  PHILIPS  ELECTRONICS  N.V.により出願された特許出願に開示されている。これらの文献が参照として取り込まれる。
【００３７】
図５に示すように、まず、UEはBCCHを介してP2Pシステムパラメータを読み取る（ステップS210）。その現在位置（通信ネットワークの内側又は外側）と、使用されるP2P通信モード（オンライン又はオフラインP2P通信）に従って、UEは、受信したP2P通信パラメータから対応のP2P通信パラメータを選択する（ステップS220）。
【００３８】
UEがセル内にあり、オフラインP2P通信モードを採用しようとしており、ネットワークサービスエリア内での最大オフラインP2P探索電力と最大オフラインP2P通信電力とを少なくとも有するP2P通信パラメータを取得したことを仮定する。次に、UEがオフラインP2P通信リンク探索のために初期送信電力として最大オフラインP2P探索電力を設定し（ステップS230）、オフラインP2P通信のリンク探索を開始する（ステップS240）。
【００３９】
リンク探索手順の間に、UEはそのピアとネゴシエーションし、送信電力を調整し（ステップS50）、ネゴシエーションを通じて調整された送信電力が最大オフラインP2P探索電力より上であるか否かを決定し、P2P通信で使用される適切な送信電力を取得する（ステップS260）。
【００４０】
ネゴシエーションを通じて調整された送信電力が最大オフラインP2P探索電力より大きい場合、これは、オフラインP2P通信のリンク探索が失敗したことを示す。UEは、対応のP2P通信パラメータを再選択し、オンラインP2P通信又は従来の通信モードのリンク探索に切り替え得る（ステップS280）。
【００４１】
ネゴシエーションを通じて調整された送信電力が最大オフラインP2P探索電力より大きくない場合、これは、オフラインP2P通信のリンク探索が成功したことを示す。UEは、ネゴシエーションを通じて調整された送信電力を使用してオフラインP2P通信を開始する（ステップS270）。
【００４２】
オフラインP2P通信中に、UEは、その通信のピアまでの距離の変化と通信環境の変化とに従って、その送信電力を継続して調整する（ステップS290）。送信電力が調整される毎に、UEは、調整された送信電力が最大オフラインP2P通信電力より大きいか否かを決定する（ステップS300）。
【００４３】
調整された送信電力が最大オフラインP2P通信電力より大きい場合、オフラインP2P通信は終了し、UEは、オンラインP2P通信又は従来の通信モードのリンク探索に切り替える（ステップS310）。
【００４４】
調整された送信電力が最大オフラインP2P通信電力より大きくない場合、UEは、調整された送信電力を使用してオフラインP2P通信を維持する（ステップS320）。
【００４５】
オフラインP2P通信を確立して維持する手順で、UEはBCCHを介して送信されたP2P通信パラメータを定期的に読み取り（ステップS330）、受信したP2P通信パラメータが現在使用されているP2P通信パラメータと同じであるか否かを判定する（ステップS340）。
【００４６】
受信したP2P通信パラメータが変化している場合、前のP2P通信パラメータを更新するために、受信したP2P通信パラメータが使用される（ステップS350）。継続中のオフラインP2P通信で、UEは更新されたP2P通信パラメータを使用して送信電力を調整する（ステップS360）。
【００４７】
オフラインP2P通信が終わりになると（ステップS370）、UEは従来の通信でのアイドルモードに戻る（ステップS380）。
【００４８】
ネットワークサービスエリアのUEがP2P通信パラメータに従ってオフラインP2P通信を確立して維持する手順について前述した。セルの前記のUEがオンラインP2P通信モードを採用することを選択し、UEにより取得されたP2P通信パラメータが最大オンラインP2P探索電力と最大オンラインP2P通信電力とを有する場合、UEは、P2P通信パラメータに従ってオンラインP2P通信のリンク探索手順を通じてオンラインP2P通信に入ってもよい。これは前記のステップと同様である。オフラインP2P通信モードと異なり、UEとUTRANとの間に制御リンクが存在するため、オンラインP2P通信モードのUEは、UTRANとのネゴシエーションを通じて、そのP2P通信パラメータの値を調整することができる。例えば、通信ネットワークが現在アイドルである場合、UEは、場合によってはネゴシエーションを通じて前記の最大オンラインP2P通信電力より大きい送信電力を取得し、この送信電力でP2P通信を実行してもよい。これにより、他のユーザの通信に影響を及ぼさずに、P2P通信の無線範囲が更に広げられ得る。
【００４９】
UEがオフラインP2P通信サービスに登録した後に、通信ネットワークのサービスエリアの外側でオフラインP2P通信を実行しようとすると、UEがネットワークサービスエリア内にいる場合又はP2P通信パラメータが例えばSIMカードに事前に記録されている場合には、BCCHを介して通信ネットワークシステムから取得されたP2P通信パラメータに従って、オフラインP2P通信のリンク探索手順を通じてオフラインP2P通信に入ることができる（P2P通信パラメータはネットワークサービスエリアの外側で最大オフラインP2P探索電力と最大オフラインP2P通信電力との１つ以上のグループを有することを仮定する）。
【００５０】
本発明で提供されるP2P通信の干渉を制限する前記の方法に関して、これはソフトウェア又はハードウェアで実装されてもよく、双方の組み合わせで実装されてもよい。
【００５１】
図６は、本発明の実施例に従ってP2P通信の干渉を制限するネットワークシステム及びUEの構成を示しており、従来のネットワークシステム及びUEと同じ構成要素は示されていない。
【００５２】
図６に示すように、まず、ネットワークシステムUTRAN100の設定ユニット110は、通信ネットワークの特性（通信ネットワークのリソース管理方式及び通信ネットワークサービスエリア等）に従ってP2P通信パラメータを設定する。設定ユニット110はまた、検出ユニット150により検出された通信ネットワークの現動作状態に従ってP2P通信パラメータを設定することもできる。
【００５３】
次に、送信ユニット130は、P2P通信パラメータを通信ネットワークのUE1に送信し、これにより、UE1はP2P通信パラメータに従って他のUEとP2P通信を実行することができる。
【００５４】
P2P通信パラメータはまた、P2P通信の干渉を制限する前記の方法で説明したものと同様の内容と値とを有する。P2P通信パラメータの内容は、通信ネットワークのUEの位置と、場合によって採用されるP2P通信モードとに関係する。P2P通信パラメータの値は、通信ネットワークの特性及び現動作状態に関係する。更に、P2P通信パラメータは、通信ネットワークサービスエリアでの最大オフラインP2P探索電力と最大オフラインP2P通信電力とを少なくとも有する。
【００５５】
受信ユニット10がUTRANにより送信されたP2P通信パラメータを受信した後に、UE1の選択ユニット20は、UEの位置と採用されるP2P通信モードとに従って、受信したP2P通信パラメータから対応のP2P通信パラメータを選択する。その後、P2Pリンク探索／通信ユニット40の探索ユニット42は、初期送信電力としてP2P通信パラメータに含まれる最大オフラインP2P探索電力を選択し、オフラインP2P探索を実行する。オフラインP2P探索手順では、決定／調整ユニット30の調整ユニット34は、その通信のピアとネゴシエーションし、送信電力を調整する。決定ユニット32は、ネゴシエーションを通じて調整された送信電力が最大オフラインP2P探索電力より大きいか否かを決定する。ネゴシエーションを通じて調整された送信電力が最大オフラインP2P探索電力より大きくない場合、P2Pリンク探索／通信ユニット40のP2P通信ユニット44は、ネゴシエーションを通じて調整された送信電力を使用して、通信のピアとP2P通信を実行する。
【００５６】
オフラインP2P通信手順の間に、UE1は、その通信のピアまでの距離の変化と通信環境の変化とに従って、調整ユニット34を介してその送信電力を継続して調整し、ネゴシエーションを通じて調整された送信電力が前記の最大オフラインP2P通信電力より大きいか否かを決定する。ネゴシエーションを通じて調整された送信電力が最大オフラインP2P通信電力より大きくない場合、P2P通信ユニット44は、調整された送信電力を使用してオフラインP2P通信を実行し続ける。
【００５７】
オンラインP2P通信モードでは、前記のオフラインP2P通信モードに記載のものと類似した方法及び装置を採用することにより、UEはリンク探索手順を実行し、オンラインP2P通信モードのP2P通信パラメータに従って、オンラインP2P通信の送信電力を決定してP2P通信の間にオンラインP2P通信の送信電力を制御してもよい。
【００５８】
本発明の有利な用法
添付図面と共に本発明の実施例の詳細な説明を参照して、本発明で提供されるP2P通信の干渉を制限する方法及び装置では、UTRANが通信ネットワークの特性及び現動作状態に従ってP2P通信パラメータを設定して更新し、これにより、通信ネットワークのUEがP2P通信モードのときに（特にオフラインP2P通信モードのときに）例えばP2P通信パラメータに従ってその送信電力の値を調整し、P2P通信の無線範囲を制限し、通信ネットワークの他の通信中のUEに対するP2P通信の干渉を効率的に減少させることができることがわかる。
【００５９】
更に、UEにより確立された通信ネットワークの外側のオフラインP2P通信では、オフラインP2P通信を制限するためにP2P通信パラメータを使用することは、不要な消費電力からUEを救済し、オフラインP2P通信で他のユーザに引き起こされるP2P通信の干渉を低減する。
【００６０】
本発明で提供されるP2P通信の干渉を制限する方法及び装置を説明するためにTD-SCDMAシステムが一例として挙げられたが、この方法及び装置は他のP2P可能な無線通信システムに適用可能であることが当業者に明らかである。
【００６１】
特許請求の範囲に記載の本発明の要旨及び範囲を逸脱することなく、本発明で開示されたP2P通信の干渉を制限する方法及び装置は様々な変更が行われ得ることが、当業者にわかる。
【図面の簡単な説明】
【００６２】
【図１】従来の通信モードを採用したTD-SCDMAシステムを示す図
【図２】オンラインP2P通信モードを採用したTD-SCDMAシステムを示す図
【図３】オフラインP2P通信モードを採用したTD-SCDMAシステムを示す図
【図４】本発明の実施例に従ってP2P通信の干渉を制限するためにUTRANにより実行されるステップを示すフローチャート
【図５ａ】P2P通信の干渉を制限するためにオフラインP2P通信を実行するUEにより実行されるステップを示すフローチャート
【図５ｂ】P2P通信の干渉を制限するためにオフラインP2P通信を実行するUEにより実行されるステップを示すフローチャート
【図６】本発明の実施例に従ってP2P通信の干渉を制限するUE及びネットワークシステムの構成を示すブロック図
【図１】
2008510344.tif 000003
【図２】
2008510344.tif 000004
【図３】
2008510344.tif 000005
【図４】
2008510344.tif 000006
【図５ａ】
2008510344.tif 000007
【図５ｂ】
2008510344.tif 000008
【図６】
2008510344.tif 000009
【国際調査報告】
2008510344.tif 000010
2008510344.tif 000011
2008510344.tif 000012